(57)【要約】【課題】太陽光発電設備の変換効率の低下を抑制した電力変換システムを提供する。【解決手段】実施形態に係る電力変換システムは、一方の端子を介して蓄電池に接続されるＤＣ／ＤＣコンバータと、太陽光パネルにアノード端子で接続されたダイオードと、前記ＤＣ／ＤＣコンバータの他方の端子および前記ダイオードのカソード端子が接続されたブスバーと、交流系統と、の間に設けられ、前記太陽光パネルの発電電力に応じて出力電力を最大化する機能および所定の出力電力に出力を制限する機能を選択的に適用される逆変換装置と、前記蓄電池の状態、前記太陽光パネルの出力電力、および前記逆変換装置の定格容量にもとづいて、前記ＤＣ／ＤＣコンバータおよび前記逆変換装置の動作を制御する指令を送信する制御装置と、を備える。【選択図】図１
2019201509.tif 000002
【特許請求の範囲】
【請求項１】
一方の端子を介して蓄電池に接続されるＤＣ／ＤＣコンバータと、
太陽光パネルにアノード端子で接続されたダイオードと、
前記ＤＣ／ＤＣコンバータの他方の端子および前記ダイオードのカソード端子が接続されたブスバーと、交流系統と、の間に設けられ、前記太陽光パネルの発電電力に応じて出力電力を最大化する機能および所定の出力電力に出力を制限する機能を選択的に適用される逆変換装置と、
前記蓄電池の状態、前記太陽光パネルの出力電力、および前記逆変換装置の定格容量にもとづいて、前記ＤＣ／ＤＣコンバータおよび前記逆変換装置の動作を制御する指令を送信する制御装置と、
を備えた電力変換システム。
【請求項２】
前記制御装置は、前記太陽光パネルの出力が前記定格容量よりも大きい場合に、前記蓄電池の状態が充電可能なときには、前記ＤＣ／ＤＣコンバータに対して、前記蓄電池を充電する指令を送信し、前記逆変換装置に対して、前記出力電力を最大化する機能を選択する指令を送信する請求項１記載の電力変換システム。
【請求項３】
前記制御装置は、前記蓄電池の状態が充電禁止のときには、前記ＤＣ／ＤＣコンバータに対して、充電を禁止する指令を送信し、前記逆変換装置に対して、前記出力電力を制限する機能を選択する指令を送信する請求項２記載の電力変換システム。
【請求項４】
前記制御装置は、前記太陽光パネルの出力が前記定格容量以下の場合に、前記蓄電池の状態が放電可能なときには、前記ＤＣ／ＤＣコンバータに対して、前記蓄電池の電力を前記逆変換装置に供給するように放電する指令を送信し、前記逆変換装置に対して、前記出力電力を最大化する機能を選択する指令を送信する請求項１記載の電力変換システム。
【請求項５】
前記制御装置は、前記蓄電池の状態が放電禁止のときには、前記ＤＣ／ＤＣコンバータに対して、前記蓄電池の放電を禁止する指令を送信し、前記逆変換装置に対して、前記出力電力を最大化する機能を選択する指令を送信する請求項４記載の電力変換システム。
【発明の詳細な説明】
【技術分野】
【０００１】
本発明の実施形態は、太陽光発電設備における電力変換システムに関する。
【背景技術】
【０００２】
従来、太陽光パネルと蓄電池設備を直流リンクした太陽光発電設備の方式がある。このような太陽光発電設備では、太陽光パネルで発電された電力は、ＤＣ／ＤＣコンバータを介して、蓄電池を充電する。また、交流系統に給電する過程においても、太陽光パネルで発電された電力は、ＤＣ／ＤＣコンバータを介して、逆変換装置に供給されて、逆変換装置が交流系統に給電する。
【０００３】
このように、従来の方式に於いては、太陽光パネルの発電電力は、ＤＣ／ＤＣコンバータを介して所望の装置に電力給電するために、ＤＣ／ＤＣコンバータは、太陽光パネルの発電電力を最大化する最大電力点追従（Maximum Power Point Tracking、ＭＰＰＴ）制御機能を有している。
【先行技術文献】
【特許文献】
【０００４】
【特許文献１】特開２０１４−２３０４５５号公報
【発明の概要】
【発明が解決しようとする課題】
【０００５】
以上のように、従来の太陽光パネルと蓄電池設備を直流リンクした太陽光発電設備の方式に於いては、太陽光パネルで発電された電力を交流系統に給電する経路、および、蓄電池を充電する経路のいずれにおいても、太陽光パネルで発電された電力は、ＤＣ／ＤＣコンバータを経由する必要がある。そのため、主として、ＤＣ／ＤＣコンバータの半導体素子のスイッチング動作による電力損失によって、太陽光発電設備の変換効率が低下するとの問題がある。
【０００６】
本発明の実施形態は、上記のような課題を解決するためになされたものであり、太陽光発電設備の変換効率の低下を抑制した電力変換システムを提供することを目的とする。
【課題を解決するための手段】
【０００７】
実施形態に係る電力変換システムは、一方の端子を介して蓄電池に接続されるＤＣ／ＤＣコンバータと、太陽光パネルにアノード端子で接続されたダイオードと、前記ＤＣ／ＤＣコンバータの他方の端子および前記ダイオードのカソード端子が接続されたブスバーと、交流系統と、の間に設けられ、前記太陽光パネルの発電電力に応じて出力電力を最大化する機能および所定の出力電力に出力を制限する機能を選択的に適用される逆変換装置と、前記蓄電池の状態、前記太陽光パネルの出力電力、および前記逆変換装置の定格容量にもとづいて、前記ＤＣ／ＤＣコンバータおよび前記逆変換装置の動作を制御する指令を送信する制御装置と、を備える。
【発明の効果】
【０００８】
本実施形態では、太陽光発電設備の変換効率の低下を抑制した電力変換システムが提供される。
【図面の簡単な説明】
【０００９】
【図１】実施形態に係る電力変換システムを例示するブロック図である。
【図２】実施形態の電力変換システムの動作を説明するためのブロック図である。
【図３】実施形態の電力変換システムの動作を説明するためのブロック図である。
【図４】実施形態の電力変換システムの動作を説明するためのブロック図である。
【図５】実施形態の電力変換システムの動作を説明するためのブロック図である。
【図６】実施形態の電力変換システムの動作を説明するためのフローチャートの例である。
【図７】実施形態の電力変換システムの動作を説明するための表である。
【図８】比較例の電力変換システムを例示するブロック図である。
【発明を実施するための形態】
【００１０】
以下、図面を参照しつつ、本発明の実施形態について説明する。
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。
なお、本願明細書と各図において、既出の図に関して前述したものと同様の要素には、同一の符号を付して詳細な説明を適宜省略する。
【００１１】
図１は、実施形態に係る電力変換装置を例示するブロック図である。
図１に示すように、実施形態の電力変換システム１０００は、蓄電池１１、太陽光パネル１２、および交流系統１８に接続される。
【００１２】
蓄電池１１は、繰り返し充放電が可能な蓄電設備である。たとえば、蓄電池１１は、鉛電池や、リチウムイオン電池等の素電池が直列に接続され、直列に接続された接続体がさらに並列に接続されて、所望の蓄電容量を実現している。図示しないが、蓄電池１１は、残存容量や蓄電池１１の異常等を表すデータ（以下、単に残存容量等のデータともいう）を取得する蓄電池管理装置に接続されている。蓄電池管理装置は、蓄電池１１の残存容量等のデータを電力変換システム１００に送信する。電力変換システム１００は、残存容量等のデータにもとづいて、蓄電池１１の充電の許可、禁止、および放電の許可、禁止を行う。
【００１３】
太陽光パネル１２は、太陽光の照射によって発電する光電変換素子を含む直流発電設備である。光電変換素子は、太陽光の照射によって直流発電することができれば、単結晶シリコンやアモルファスシリコン等、材料は問わない。
【００１４】
交流系統１８は、交流の電力系統であり、たとえば商用の送電線等を含む。交流系統１８には、送電線のほか、他の交流電源や交流負荷等が接続されていてもよい。交流系統１８は、三相交流でもよいし、単相交流でもよい。
【００１５】
電力変換システム１００は、太陽光パネル１２によって発電された直流電力を交流電力に変換して、交流系統１８に連系する。電力変換システム１００では、太陽光パネル１２の発電電力および定格容量に応じて、蓄電池１１を充電しつつ交流系統１８に給電し、あるいは蓄電池１１からの放電電力を太陽光パネル１２の発電電力に加えて、交流系統１８に給電する。
【００１６】
太陽光パネル１２の発電電力は、好ましくは、電力変換システム１００の定格容量よりも大きく設定されている。太陽光パネル１２の発電電力が電力変換システム１００の定格容量よりも大きい過積載の状態とすることによって、日射量が少なく太陽光パネル１２の発電電力が小さい場合であっても、電力変換システム１００は定格容量までの電力を交流系統１８に給電することができる。
【００１７】
電力変換システム１００は、ＤＣ／ＤＣコンバータ１４と、ダイオード１９と、逆変換装置２１と、制御装置２２と、を備える。ＤＣ／ＤＣコンバータ１４は、一方の端子を介して蓄電池１１に接続される。また、ＤＣ／ＤＣコンバータ１４は、他方の端子を介して直流バス２０に接続されている。ダイオード１９は、アノード端子で太陽光パネル１２に接続される。ダイオード１９は、カソード端子で直流バス２０に接続されている。逆変換装置２１は、一方の端子で直流バス２０に接続されている。逆変換装置２１は、他方の端子で交流系統１８に接続される。
【００１８】
ＤＣ／ＤＣコンバータ１４は、双方向の電力変換を行う。つまり、ＤＣ／ＤＣコンバータ１４は、蓄電池１１から出力される直流電圧を直流バス２０に供給する直流電圧に変換して出力する。ＤＣ／ＤＣコンバータ１４は、直流バス２０の直流電圧を蓄電池１１の充電制御のための直流電圧に変換して出力する。なお、蓄電池１１に応じた充電制御は、たとえば蓄電池管理装置によって実行される。
【００１９】
ダイオード１９は、太陽光パネル１２が発電する直流電圧を直流バス２０に供給する。ダイオード１９は、太陽光パネル１２にＤＣ／ＤＣコンバータ１４が出力する直流電圧が印加されることを防止する。
【００２０】
逆変換装置２１は、直流電圧を交流電圧に変換して出力する。逆変換装置２１は、直流バス２０に供給される直流電圧を交流電圧に変換して、交流系統１８に給電することができる。逆変換装置２１は、交流電圧を直流電圧に変換して、直流バス２０に供給できるようにしてもよいが、以下では、直流電圧から交流電圧に変換して交流系統１８に給電する場合について説明する。
【００２１】
逆変換装置２１は、ＭＰＰＴ制御による動作（以下、ＭＰＰＴ制御モードともいう）および出力電力を一定値以下に制限する動作（以下、出力電力制限モードともいう）を選択的に実行することができる。逆変換装置２１は、制御装置２２からの指令にもとづいて、ＭＰＰＴ制御モードまたは出力電力制限モードのいずれかを選択して動作する。
【００２２】
ＭＰＰＴ制御モードでは、逆変換装置２１は、太陽光パネル１２の発電電力が最大になる動作点を設定して動作する。出力電力制限モードでは、逆変換装置２１は、入力される電力が設定された出力電力の制限値を超える場合に、出力電力を制限値に制限する。制限値は、たとえば逆変換装置２１の定格容量である。なお、出力電力制限モードでは、制限する電力は、任意に設定することができ、たとえば制御装置２２によって、設定するようにしてもよい。
【００２３】
制御装置２２は、蓄電池１１に接続された蓄電池管理装置から蓄電池の残存容量等のデータを受信する。制御装置２２は、蓄電池１１の残存容量等のデータを受信し、解釈することによって、蓄電池１１の状態を認識することができる。
【００２４】
制御装置２２は、逆変換装置２１から太陽光パネル１２の発電電力に関するデータを受信する。制御装置２２は、太陽光パネル１２に設けられた電力計から発電電力に関するデータを受信してもよい。
【００２５】
制御装置２２は、蓄電池管理装置から受信した残存容量等のデータにもとづいて、ＤＣ／ＤＣコンバータ１４に対して、蓄電池１１への充電を許可する充電指令を送信し、または蓄電池１１への充電を禁止する充電禁止指令を送信することができる。
【００２６】
制御装置２２は、蓄電池管理装置からの受信データにもとづいて、ＤＣ／ＤＣコンバータ１４に対して、蓄電池１１からの放電を許可する放電指令を送信し、または蓄電池１１からの放電を禁止する放電禁止指令を送信することができる。
【００２７】
制御装置２２は、逆変換装置２１に対して、動作モードを設定する指令を送信する。逆変換装置２１は、制御装置２２からＭＰＰＴ制御モードを選択すべきとする指令を受信した場合には、ＭＰＰＴ制御モードで動作する。逆変換装置２１は、制御装置２２から出力電力制限モードを選択すべきとする指令を受信した場合には、出力電力制限モードで動作する。
【００２８】
電力変換システム１００は、複数の運転モードを有する。電力変換システム１００では、制御装置２２が送受信するデータに応じて、複数の運転モードのうちから１つの運転モードが選択される。複数の運転モードを、以下では、運転モードＡ，Ｂ，Ｃ，Ｄと呼ぶこととする。
【００２９】
図２〜図５は、実施形態の電力変換システムの動作を説明するためのブロック図である。
図２〜図５は、運転モードＡ〜Ｄにおける各要素の状態等をそれぞれ示している。
【００３０】
（運転モードＡ）
運転モードＡは、太陽光パネル１２の発電電力が逆変換装置２１の定格容量よりも大きく、なおかつ蓄電池１１が充電可能な状態である場合の運転モードである。
【００３１】
図２に示すように、制御装置２２は、太陽光パネル１２の発電電力が逆変換装置２１の定格容量よりも大きく、なおかつ蓄電池１１が充電可能と判断した場合には、蓄電池１１を充電しつつ、交流系統１８に給電するように設定する（太実線）。具体的には、制御装置２２は、ＤＣ／ＤＣコンバータ１４に対して、蓄電池１１を充電すべきとする充電指令を送信する。制御装置２２は、逆変換装置２１に対して、ＭＰＰＴ制御モードを選択する指令を送信する。これらによって、制御装置２２は、太陽光パネル１２の発電電力が逆変換装置２１の定格容量を超えないようにするとともに、ＤＣ／ＤＣコンバータ１４によって蓄電池１１を充電することができる。逆変換装置２１の定格容量を超えないよう蓄電池１１に充電できることから、太陽光パネル１２の発電電力を有効に利用することができる。
【００３２】
（運転モードＢ）
運転モードＢは、太陽光パネル１２の発電電力が逆変換装置２１の定格容量よりも小さく、なおかつ蓄電池１１が放電可能な残存容量を有している場合の運転モードである。
【００３３】
図３に示すように、制御装置２２は、太陽光パネル１２の発電電力が逆変換装置２１の定格容量よりも小さく、かつ蓄電池１１が放電可能と判断した場合には、太陽光パネル１２の発電電力に蓄電池１１からの放電電力を加えて、逆変換装置２１に供給するように設定する（太実線）。具体的には、制御装置２２は、ＤＣ／ＤＣコンバータ１４に逆変換装置２１の定格容量を超えないよう蓄電池１１の放電指令を送信する。これによって、太陽光パネル１２の発電電力と蓄電池１１の放電電力との合計値を交流系統１８に給電することができる。なお、この場合にも、制御装置２２は、逆変換装置２１に対してＭＰＰＴ制御モードを選択する指令を送信する。
【００３４】
（運転モードＣ）
運転モードＣは、太陽光パネル１２の発電電力が逆変換装置２１の定格容量よりも大きく、なおかつ蓄電池１１が充電禁止の状態にある場合の運転モードである。
【００３５】
図４に示すように、制御装置２２は、太陽光パネル１２の発電電力が逆変換装置２１の定格容量よりも大きく、なおかつ蓄電池１１に充電できないと判断した場合には、ＤＣ／ＤＣコンバータ１４に対して、充電を禁止すべきとする充電禁止指令を送信する。また、制御装置２２は、逆変換装置２１に対して出力電力制限モードを選択する指令を送信する。逆変換装置２１は、太陽光パネル１２の発電電力を設定された制限値（たとえば定格容量値）に設定し、制限値までの電力を交流系統１８に給電することができる（太実線）。
【００３６】
（運転モードＤ）
運転モードＤは、太陽光パネル１２の発電電力が逆変換装置２１の定格容量よりも小さく、なおかつ蓄電池１１が放電禁止の状態である場合の運転モードである。
【００３７】
図５に示すように、制御装置２２は、太陽光パネル１２の発電電力が逆変換装置２１の定格容量よりも小さく、なおかつ蓄電池１１から放電できないと判断した場合には、ＤＣ／ＤＣコンバータ１４に対して、放電を禁止すべきとする放電禁止指令を送信する。制御装置２２は、逆変換装置２１に対して、ＭＰＰＴ制御モードを選択すべきとする指令を送信する。逆変換装置２１は、太陽光パネル１２の発電電力最大化して交流系統１８に給電することができる（太実線）。
【００３８】
実施形態の電力変換システム１００の一連の動作をフローチャートを用いて説明する。
図６は、実施形態の電力変換システムの動作を説明するためのフローチャートの例である。
図６に示すように、ステップＳ１において、制御装置２２は、太陽光パネル１２の発電電力と逆変換装置２１の定格容量とを比較する。制御装置２２は、太陽光パネル１２の発電電力が、逆変換装置２１の定格容量よりも大きい場合には、処理をステップＳ２に遷移させる。制御装置２２は、太陽光パネル１２の発電電力が、逆変換装置２１の定格容量以下の場合には、処理をステップＳ３に遷移させる。
【００３９】
ステップＳ２において、制御装置２２は、蓄電池管理装置から受信した蓄電池１１の残存容量等のデータにもとづいて、蓄電池１１の充電が可能か否かを判定する。制御装置２２は、蓄電池１１の残存容量等のデータによって蓄電池１１を充電可能であると判定した場合には、自己の運転モードを運転モードＡに設定する。
【００４０】
制御装置２２は、ステップＳ２で蓄電池１１を充電することができないと判定した場合には、自己の運転モードを運転モードＣに設定する。
【００４１】
ステップＳ１で、太陽光パネル１２の発電電力が逆変換装置２１の定格容量以下であると判定した場合には、制御装置２２は、ステップＳ３において、蓄電池管理装置から受信した蓄電池１１の残存容量等のデータにもとづいて、蓄電池１１からの放電が可能か否かを判定する。制御装置２２は、蓄電池１１の残存容量等のデータによって蓄電池１１から放電可能であると判定した場合には、自己の運転モードを運転モードＢに設定する。
【００４２】
制御装置２２は、ステップＳ３で蓄電池１１から放電することができないと判定した場合には、自己の運転モードを運転モードＤに設定する。
【００４３】
図７は、実施形態の電力変換システムの動作を説明するための表である。
図７は、太陽光パネル１２の発電電力に対する各変換装置の動作および状態等をまとめた表である。
図７に示すように、太陽光パネル（ＰＶ）１２の発電電力が５００ｋＷ未満の場合および５００ｋＷ以上の場合のそれぞれについて、逆変換装置２１の出力電力（ＰＣＳ出力）、ＤＣ／ＤＣコンバータ１４の出力電力（Ｄ２出力）、逆変換装置２１の制御モード、および電力変換システムの状態（システム状態）が示されている。この例では、逆変換装置２１の定格容量は５００ｋＷである。
【００４４】
この例においては、太陽光パネル１２の発電電力が、逆変換装置２１の定格容量を超える過積載の状態が想定されている。なお、過積載の太陽発電システムとは、このように太陽光パネルの発電電力が、逆変換装置の定格容量よりも大きく設定されているシステムをいう。太陽光パネルの発電電力が逆変換装置の定格容量よりも大きく設定されることによって、太陽光の照射レベルが低い場合であっても、逆変換装置の定格容量まで交流系統に電力を供給することができる利点がある。
【００４５】
太陽光パネル１２の発電電力が、逆変換装置２１の定格容量である５００ｋＷ未満の場合には、電力変換システム１００は、蓄電池１１の状態に応じて、交流系統１８に電力を供給することができる。
【００４６】
蓄電池１１の残存容量が十分でなく、あるいは充放電サイクル等によって蓄電池１１の劣化が進んでいる場合等であって、太陽光パネル１２の発電電力が４００ｋＷのときには、逆変換装置２１は、太陽光パネル１２の発電電力をそのまま交流系統１８に電力を供給する。逆変換装置２１は、ＭＰＰＴモードで動作することによって、太陽光パネル１２の発電電力の最大値を交流系統１８の給電に用いることができる。
【００４７】
ここで、蓄電池１１が放電禁止の場合には、表の１列目（運転モードＤ）のように、逆変換装置２１は、太陽光パネル１２の発電電力４００ｋＷを交流系統１８に供給する。蓄電池１１が放電可能な場合には、表の２列目（運転モードＢ）のように、ＤＣ／ＤＣコンバータ１４を介した蓄電池１１の放電により、逆変換装置２１の定格容量５００ｋＷまで交流系統１８に供給することができる。
【００４８】
太陽光パネル１２の発電電力が、逆変換装置２１の定格容量である５００ｋＷ以上の場合には、電力変換システム１００は、蓄電池１１の状態に応じて、交流系統１８に電力を供給しつつ、蓄電池１１を充電することができる。
【００４９】
蓄電池１１の充電量が十分ある場合等に、太陽光パネル１２の発電電力が１０００ｋＷのときには、逆変換装置２１は、太陽光パネル１２の発電電力を定格容量５００ｋＷで交流系統１８に電力を供給する。逆変換装置２１は、ＭＰＰＴモードで動作することによって、太陽光パネル１２の発電電力の最大値を入力することができる。また、蓄電池１１の状態が充電許可である場合には、表の３列目（運転モードＡ）のように、逆変換装置２１は、余剰の発電電力を、ＤＣ／ＤＣコンバータ１４を介して、蓄電池１１に充電する。
【００５０】
ここで、蓄電池１１が充電禁止の場合には、表の４列目（運転モードＣ）のように、逆変換装置２１は、太陽光パネル１２の発電電力１０００ｋＷのうち定格容量の５００ｋＷを交流系統１８に供給する。このときには、逆変換装置２１は、出力電力制限モード（Ｌｉｍｉｔ）で動作する。
【００５１】
実施形態の電力変換システム１００の効果について、比較例の電力変換システムと対比しつつ説明する。
図８は、比較例の電力変換システムを例示するブロック図である。
図８に示すように、比較例の電力変換システム２００は、２つのＤＣ／ＤＣコンバータ２１３，２１４と、逆変換装置２２１と、制御装置２２２と、を備えている。
【００５２】
ＤＣ／ＤＣコンバータ２１４は、蓄電池１１と逆変換装置２２１との間に接続されている。ＤＣ／ＤＣコンバータ２１３は、太陽光パネル１２と逆変換装置２２１との間に接続されている。逆変換装置２２１は、２つのＤＣ／ＤＣコンバータ２１３，２１４と交流系統１８との間に接続されている。つまり、比較例の電力変換システム２００では、実施形態の電力変換システム１００のダイオード１９に代えて、ＤＣ／ＤＣコンバータ２１３が接続されている。
【００５３】
ＤＣ／ＤＣコンバータ２１３は、太陽光パネル１２の発電電力をＭＰＰＴ制御して生成した出力電力を、逆変換装置２２１に供給するとともに、ＤＣ／ＤＣコンバータ２１４を介して、蓄電池１１に供給する。
【００５４】
比較例の電力変換システム２００では、太陽光パネル１２の出力にＤＣ／ＤＣコンバータ２１３が接続されているので、太陽光パネル１２の発電電力がＤＣ／ＤＣコンバータ２１３の変換損失によって実質的に低下する。ＤＣ／ＤＣコンバータ２１３の出力は、逆変換装置２２１を介して、交流系統１８に供給され、また、蓄電池１１の充電のための電力として蓄電池１１に供給される。そのためＤＣ／ＤＣコンバータ２１３の変換損失は、限りなく低減することが好ましい。しかしながら、ＤＣ／ＤＣコンバータ２１３は、半導体素子のスイッチング動作による損失が発生するため、ある程度の変換損失が発生することを回避することは困難である。
【００５５】
実施形態の電力変換システム１００では、太陽光パネル１２の出力には、ダイオード１９が接続されている。ダイオード１９は、導通損失を有し得るが、ダイオード１９に流れる電流は、太陽光パネル１２から出力される直流電流のため、スイッチングにともなう損失は発生し得ない。したがって、ダイオード１９の導通損失は、比較例のＤＣ／ＤＣコンバータ２１３の変換損失に比べて、小さくすることが可能である。そのため、太陽光パネル１２の発電電力をより有効に交流系統に供給し、蓄電池に供給することができる。
【００５６】
実施形態の電力変換システム１００では、逆変換装置２１がＭＰＰＴ制御モードおよび出力電力制限モードを有しており、制御装置２２からの指令によって制御モードを切り替えることができる。
【００５７】
このように、電力変換システム１００では、制御装置２２が運転モードを切り替えることによって、システムの動作を設定することができる。
【００５８】
以上説明した実施形態によれば、太陽光発電設備の変換効率の低下を抑制した電力変換システムを実現することができる。
【００５９】
以上、本発明のいくつかの実施形態を説明したが、これらの実施形態は、例として提示したものであり、発明の範囲を限定することは意図していない。これら新規な実施形態は、その他のさまざまな形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明およびその等価物の範囲に含まれる。また、前述の各実施形態は、相互に組み合わせて実施することができる。
【符号の説明】
【００６０】
１１  蓄電池、１２  太陽光パネル、１４  ＤＣ／ＤＣコンバータ、１８  交流系統、１９  ダイオード、２０  直流バス、２１  逆変換装置、２２  制御装置、１００  電力変換システム
【図１】
2019201509.tif 000003
【図２】
2019201509.tif 000004
【図３】
2019201509.tif 000005
【図４】
2019201509.tif 000006
【図５】
2019201509.tif 000007
【図６】
2019201509.tif 000008
【図７】
2019201509.tif 000009
【図８】
2019201509.tif 000010